(57)【要約】【課題】  第１定着部材と第２定着部材とのニップ部で、未定着のトナー画像を記録媒体に定着させる定着装置において、第１定着部材や第２定着部材に付着した付着物をブラシローラーによって回収し、このブラシローラーに回収された回収物をブラシローラーから適切に除去させる。【解決手段】  第１定着部材31と第２定着部材32との間のニップ部において、未定着のトナー画像tを記録媒体Sに定着させる定着装置30において、第１定着部材や第２定着部材に付着した付着物を、回転軸34aの外周面にブラシ34bが設けられたブラシローラー34によって直接及び／又は間接的に回収させると共に、清掃手段35により、ブラシローラーの外周側から清掃用空気をブラシローラーに向けて吹き付けて、ブラシローラーを清掃させるようにした。【選択図】  図２
2017068185.tif 000002
【特許請求の範囲】
【請求項１】
第１定着部材と第２定着部材とを圧接させた状態で回転させ、記録媒体に形成された未定着のトナー画像を第１定着部材に接触させるようにして、記録媒体を第１定着部材と第２定着部材との間のニップ部に導いて、未定着のトナー画像を記録媒体に定着させる定着装置において、回転軸の外周面にブラシが設けられたブラシローラーを回転させて、前記の第１定着部材及び／又は第２定着部材に付着した付着物を直接及び／又は間接的に回収させると共に、清掃手段により、前記のブラシローラーの外周側から清掃用空気をブラシローラーに向けて吹き付けて、ブラシローラーを清掃させることを特徴とする定着装置。
【請求項２】
請求項１に記載の定着装置において、前記の第１定着部材を加熱させて、未定着のトナー画像を記録媒体に加熱定着させることを特徴とする定着装置。
【請求項３】
請求項１又は請求項２に記載の定着装置において、前記のブラシローラーを、前記の第２定着部材及び／又はこの第２定着部材に接触して回転する回転部材に接触させて回転させることを特徴とする定着装置。
【請求項４】
請求項１〜請求項３の何れか１項に記載の定着装置において、前記の清掃手段により清掃用空気をブラシローラーに向けて吹き付けるにあたり、清掃用空気を第１定着部材と第２定着部材とを圧接させたニップ部から離れる方向に吹き付けることを特徴とする定着装置。
【請求項５】
請求項１〜請求項４の何れか１項に記載の定着装置において、前記の清掃手段により清掃用空気をブラシローラーに向けて吹き付けるにあたり、清掃用空気をブラシローラーの回転方向と順方向に吹き付けることを特徴とする定着装置。
【請求項６】
請求項１〜請求項４の何れか１項に記載の定着装置において、前記の清掃手段により清掃用空気をブラシローラーに向けて吹き付けるにあたり、清掃用空気をブラシローラーの回転方向と逆方向に吹き付けることを特徴とする定着装置。
【請求項７】
請求項１〜請求項６の何れか１項に記載の定着装置において、前記の清掃手段により清掃用空気をブラシローラーの軸方向全体に吹き付けることを特徴とする定着装置。
【請求項８】
請求項１〜請求項７の何れか１項に記載の定着装置において、前記の清掃手段により清掃用空気をブラシローラーに吹き付ける側と反対側の位置に、ブラシローラーに吹き付けた後の清掃用空気を回収する回収部を設けたことを特徴とする定着装置。
【請求項９】
請求項１〜請求項８の何れか１項に記載の定着装置において、前記の清掃手段からブラシローラーに吹き付ける清掃用空気が加熱された空気であることを特徴とする定着装置。
【請求項１０】
請求項９に記載の定着装置において、未定着のトナー画像を記録媒体に加熱定着させた際の熱を用いて、清掃用空気を加熱させることを特徴とする定着装置。
【請求項１１】
請求項１〜請求項１０の何れか１項に記載の定着装置において、前記の清掃手段によって定着装置が冷却されるのを防止する加熱手段を設けたことを特徴とする定着装置。
【請求項１２】
請求項１１に記載の定着装置において、前記の加熱手段に、未定着のトナー画像を記録媒体に加熱定着させた際の熱を利用することを特徴とする定着装置。
【請求項１３】
記録媒体に形成された未定着のトナー画像を記録媒体に定着させる定着装置を備えた画像形成装置において、請求項１〜請求項１２の何れか１項に記載の定着装置を用いたことを特徴とする画像形成装置。
【発明の詳細な説明】
【技術分野】
【０００１】
本発明は、記録媒体に形成された未定着のトナー画像を記録媒体に定着させる定着装置及び定着装置を用いた複写機，プリンター，ファクシミリ及びこれらの複合機等の画像形成装置に関するものである。特に、第１定着部材と第２定着部材とを圧接させた状態で回転させ、記録媒体に形成された未定着のトナー画像を第１定着部材に接触させるようにして、記録媒体を第１定着部材と第２定着部材との間のニップ部に導いて、未定着のトナー画像を記録媒体に定着させる定着装置において、回転軸の外周面にブラシが設けられたブラシローラーを回転させて、第１定着部材や第２定着部材に付着した付着物を直接及び／又は間接的に回収させた場合に、ブラシローラーに回収された回収物を、ブラシローラーから適切に除去できるようにした点に特徴を有するものである。
【背景技術】
【０００２】
従来から、複写機，プリンター，ファクシミリ及びこれらの複合機等の画像形成装置においては、一般に、感光体等からトナー画像が転写された記録媒体を定着装置に導き、記録媒体に形成された未定着のトナー画像を、この定着装置において記録媒体に定着させるようにしている。
【０００３】
そして、このような定着装置の一つとして、従来から、加熱ローラー等の第１定着部材と加圧ローラー等の第２定着部材とを圧接させた状態で回転させ、記録媒体に転写された未定着のトナー画像が前記の第１定着部材と接触するようにして、前記の記録媒体を第１定着部材と第２定着部材との間のニップ部において加熱・加圧させ、未定着のトナー画像を記録媒体に加熱定着させるようにしたものが用いられている。
【０００４】
ここで、このように第１定着部材と第２定着部材とのニップ部において、未定着のトナー画像を記録媒体に加熱定着させるようにした場合、記録媒体に定着されなかったトナーや紙粉等が、前記の第１定着部材や第２定着部材に付着され、このように付着された付着物により形成される画像に悪影響を及ぼすという問題があった。
【０００５】
このため、従来においては、回転軸の外周面にブラシが設けられたブラシローラーを、前記の第１定着部材や第２定着部材に接触させて回転させ、第１定着部材や第２定着部材に付着された付着物を、ブラシローラーにより第１定着部材や第２定着部材から直接に回収させ、或は前記のブラシローラーを、第１定着部材や第２定着部材に接触して回転する回転部材に接触させて回転させ、この回転部材を介して第１定着部材や第２定着部材に付着された付着物を、ブラシローラーに間接的に回収させることが行われている。
【０００６】
しかし、このようにブラシローラーにより第１定着部材や第２定着部材に付着された付着物を直接或は間接的に回収させた場合、第１定着部材や第２定着部材から回収された回収物がブラシローラーのブラシに蓄積し、ブラシローラーにおける付着物の回収性能が低下し、またブラシローラーのブラシに蓄積された回収物が、ブラシローラーから第１定着部材や第２定着部材に戻って、形成される画像に悪影響を及ぼすという問題があった。
【０００７】
そして、従来においては、特許文献１に示されるように、ブラシローラーとして、中空で通気性を有する基材の外周面にブラシが設けられたものを用い、この基材の内部から冷却用空気を、基材の外周面に設けられたブラシを通して回収部に吹き付け、ブラシローラーのブラシに回収されたトナー等の回収物をブラシから離脱させて、回収部に回収させるようにしたものが提案されている。
【０００８】
しかし、特許文献１に示されるように、基材の内部から冷却用空気を基材の外周面に設けられたブラシを通して吹き付ける場合、ブラシの密度が高いブラシローラーの内周側からブラシの密度が低いブラシローラーの外周側に向けて冷却用空気が吹き付けられるため、ブラシに対する冷却用空気の吹付けに偏りが生じ、ブラシの根元から穂先に渡って回収物を十分に除去することが困難になり、特に、複数本のブラシを束ねて基材の外周面に設けるようにしたブラシローラーにおいては、ブラシの根元から穂先に渡って回収物を除去する効果がさらに低下するという問題があった。
【０００９】
また、基材の内部から冷却用空気を基材の外周に設けられたブラシに吹き付けるため、回収物をブラシから十分に除去させるためには、基材の内部から吹き付ける冷却用空気の吹出し力を大きくすることが必要になり、装置が大型化してコストが高く付くと共に、運転コスト等もが高く付くという問題があった。
【先行技術文献】
【特許文献】
【００１０】
【特許文献１】特開２００８−９００８号公報
【発明の開示】
【発明が解決しようとする課題】
【００１１】
本発明は、第１定着部材と第２定着部材とを圧接させた状態で回転させ、記録媒体に形成された未定着のトナー画像を第１定着部材に接触させるようにして、記録媒体を第１定着部材と第２定着部材との間のニップ部に導いて、未定着のトナー画像を記録媒体に定着させる定着装置において、回転軸の外周面にブラシが設けられたブラシローラーを回転させて、第１定着部材や第２定着部材に付着した付着物を、ブラシローラーに直接及び／又は間接的に回収させる場合における前記のような問題を解決することを課題とするものである。
【００１２】
すなわち、本発明においては、前記のように第１定着部材や第２定着部材に付着した付着物を、ブラシローラーに直接及び／又は間接的に回収させた場合において、ブラシローラーに回収された回収物を、ブラシローラーから適切に除去できるようにすることを課題とするものである。
【課題を解決するための手段】
【００１３】
本発明に係る定着装置においては、前記のような課題を解決するため、第１定着部材と第２定着部材とを圧接させた状態で回転させ、記録媒体に形成された未定着のトナー画像を第１定着部材に接触させるようにして、記録媒体を第１定着部材と第２定着部材との間のニップ部に導いて、未定着のトナー画像を記録媒体に定着させる定着装置において、回転軸の外周面にブラシが設けられたブラシローラーを回転させて、前記の第１定着部材及び／又は第２定着部材に付着した付着物を直接及び／又は間接的に回収させると共に、清掃手段により、前記のブラシローラーの外周側から清掃用空気をブラシローラーに向けて吹き付けて、ブラシローラーを清掃させるようにした。
【００１４】
このように、ブラシローラーの外周側から清掃用空気をブラシローラーに向けて吹き付けると、清掃用空気が、ブラシの密度が低いブラシローラーの外周側からブラシの密度が高いブラシローラーの中心部を通してブラシの密度が低いブラシローラーの外周側に流れるようになる。
【００１５】
ここで、本発明の定着装置において、未定着のトナー画像を記録媒体に効率よく定着させるためには、記録媒体に形成された未定着のトナー画像と接触する第１定着部材を加熱させて、未定着のトナー画像を記録媒体に加熱定着させるようにすることができる。
【００１６】
また、本発明の定着装置において、前記のブラシローラーを回転させて、前記の第１定着部材及び／又は第２定着部材に付着した付着物を直接及び／又は間接的に回収させるにあたり、ブラシローラーを記録媒体に形成された未定着のトナー画像と接触する第１定着部材に接触させて回転させると、ブラシローラーとの接触によって第１定着部材の面が傷ついて、記録媒体に定着させるトナー画像にノイズが発生するおそれがある。このため、前記のブラシローラーを、前記の第２定着部材やこの第２定着部材に接触して回転する回転部材に接触させて回転させ、第１定着部材や第２定着部材に付着した付着物を、ブラシローラーに直接及び／又は間接的に回収させることが好ましい。また、前記の第１定着部材と接触して回転する回転部材を設け、この回転部材にブラシローラーを接触させて回転させ、第１定着部材からこの回転部材に移行された付着物を、前記のブラシローラーによって回収させるようにすることもできる。
【００１７】
また、本発明の定着装置において、前記の清掃手段により清掃用空気をブラシローラーに向けて吹き付けるにあたり、清掃用空気を第１定着部材と第２定着部材とを圧接させたニップ部から離れる方向に吹き付けることが好ましい。このようにすると、ブラシローラーに回収された回収物を離脱させた後の清掃用空気が、第１定着部材と第２定着部材とを圧接させたニップ部に導かれるということがなく、ブラシローラーから離脱された回収物が清掃用空気によって第１定着部材と第２定着部材とのニップ部に導かれるのが防止される。
【００１８】
また、本発明の定着装置において、前記の清掃手段により清掃用空気をブラシローラーに向けて吹き付けるにあたり、清掃用空気をブラシローラーの回転方向と順方向に吹き付けるようにすると、ブラシに加わる負荷が少なく、ブラシが開いて変形するのが防止され、ブラシローラーを一定した状態で安定して使用できるようになる。一方、清掃用空気をブラシローラーの回転方向と逆方向に吹き付けるようにすると、清掃用空気によりブラシが開くように変形して、ブラシに回収された回収物が効率よくブラシから離脱されるようになる。
【００１９】
また、本発明の定着装置において、前記の清掃手段により清掃用空気をブラシローラーに向けて吹き付けるにあたっては、清掃手段により清掃用空気をブラシローラーの軸方向全体に吹き付けるようにする。このように清掃手段により清掃用空気をブラシローラーの軸方向全体に吹き付けるにあたっては、清掃手段をブラシローラーの軸方向全体に伸びた長さに形成する他、清掃手段をブラシローラーの軸方向に沿って移動させるようにすることができる。
【００２０】
また、本発明の定着装置においては、清掃手段により清掃用空気をブラシローラーに吹き付ける側と反対側の位置に、ブラシローラーに吹き付けた後の清掃用空気を回収する回収部を設け、清掃用空気によってブラシから離脱させた回収物をこの回収部に回収させて、回収物が飛散するのを防止することが好ましい。
【００２１】
また、本発明の定着装置においては、前記の清掃手段からブラシローラーに吹き付ける清掃用空気に加熱された空気を用いることができる。このように、ブラシローラーに吹き付ける清掃用空気に加熱された空気を用いると、冷たい清掃用空気を吹き付ける場合のように、定着装置の温度が低下するのが防止されて、定着装置における消費電力を削減できる。また、このように清掃用空気に加熱された空気を用いるにあたっては、未定着のトナー画像を記録媒体に加熱定着させた際の熱を用いて、清掃用空気を加熱させることができる。
【００２２】
また、本発明の定着装置においては、清掃手段によって第１定着部材と第２定着部材とを圧接させたニップ部が冷却されるのを防止する加熱手段を設けることもできる。この場合も、前記の加熱手段に、未定着のトナー画像を記録媒体に加熱定着させた際の熱を用いることができる。
【００２３】
そして、本発明の画像形成装置においては、記録媒体に形成された未定着のトナー画像を記録媒体に定着させるにあたり、前記のような定着装置を用いるようにした。
【発明の効果】
【００２４】
本発明の定着装置においては、前記のように回転軸の外周面にブラシが設けられたブラシローラーを回転させて、第１定着部材や第２定着部材に付着した付着物を、ブラシローラーによって直接或は間接的に回収させた後、清掃手段によって、ブラシローラーの外周側から清掃用空気をブラシローラーに向けて吹き付けるようにしたため、清掃用空気が、ブラシの密度が低いブラシローラーの外周側からブラシの密度が高いブラシローラーの中心部を通してブラシの密度が低いブラシローラーの外周側に流れ、第１定着部材や第２定着部材からブラシローラーに回収された回収物が、この清掃用空気によってブラシローラーから適切に離脱されるようになる。
【００２５】
この結果、本発明の定着装置においては、清掃用空気をブラシローラーにおける基材の内部から基材の外周に設けたブラシに吹き付ける場合のように、ブラシに対する清掃用空気の吹付けに偏りが生じるということがなく、またブラシに回収した回収物をブラシから十分に除去させるために、清掃用空気の吹付け力を大きくするという必要もなく、ブラシローラーに回収された回収物を、ブラシローラーから簡単且つ適切に除去できるようになる。
【図面の簡単な説明】
【００２６】
【図１】本発明の実施形態に係る定着装置を使用した画像形成装置の例を示した概略説明図である。
【図２】本発明の実施形態に係る定着装置において、未定着のトナー画像を記録媒体に加熱ローラーと加圧ローラーとの間で加熱定着させる際に、加熱ローラーや加圧ローラーに付着した付着物を、加圧ローラーと接触して回転する均熱ローラーに移行させ、この均熱ローラーに移行された付着物を、ブラシローラーのブラシに回収させると共に、清掃手段からブラシローラーに清掃用空気を吹き付けて、ブラシローラーのブラシに回収された回収物を回収部に回収させる状態を示した概略説明図である。
【図３】前記の実施形態に係る定着装置において、清掃手段から回転するブラシローラーに清掃用空気を吹き付けるにあたり、清掃用空気をブラシローラーの回転方向と順方向に吹き付ける状態を示した概略説明図である。
【図４】前記の実施形態に係る定着装置において、清掃手段から回転するブラシローラーに清掃用空気を吹き付けるにあたり、清掃用空気をブラシローラーの回転方向と逆方向に吹き付ける状態を示した概略説明図である。
【図５】前記の実施形態に係る定着装置において、清掃手段から清掃用空気をブラシローラーの軸方向全体に吹き付けるにあたり、清掃手段の噴出部をブラシローラーの軸方向全体においてブラシローラーと対向するように設けた状態を示した概略説明図である。
【図６】前記の実施形態に係る定着装置において、清掃手段から清掃用空気をブラシローラーの軸方向全体に吹き付けるにあたり、清掃手段をブラシローラーの軸方向に移動させる状態を示した概略説明図である。
【図７】前記の実施形態に係る定着装置において、熱交換装置により加熱された清掃用空気を清掃手段からブラシローラーに吹き付ける状態を示した概略説明図である。
【図８】前記の実施形態に係る定着装置において、加熱手段により定着装置が冷却されるのを防止するにあたり、熱交換装置により加熱された空気を加熱用ノズルから加圧ローラーと均熱ローラーとの間に吹き付ける状態を示した概略説明図である。
【図９】前記の実施形態に係る定着装置に使用するブラシローラーの変更例を示した部分拡大説明図である。
【図１０】前記の実施形態に係る定着装置の変更例を示し、加熱ローラーと接触する回収ローラーを設け、この回収ローラーに移行された付着物をブラシローラーのブラシに回収させると共に、清掃手段からブラシローラーに清掃用空気を吹き付けて、ブラシローラーのブラシに回収された回収物を回収部に回収させる状態を示した概略説明図である。
【発明を実施するための最良の形態】
【００２７】
次に、本発明の実施形態に係る定着装置及びこの定着装置を使用する画像形成装置を添付図面に基づいて具体的に説明する。なお、本発明に係る定着装置及び画像形成装置は、下記の実施形態に示したものに限定されず、その要旨を変更しない範囲において適宜変更して実施できるものである。
【００２８】
この実施形態の画像形成装置１においては、図１に示すように、その内部に４つのイメージングカートリッジ１０Ａ〜１０Ｄを装着させている。
【００２９】
ここで、前記の各イメージングカートリッジ１０Ａ〜１０Ｄにおいては、感光体１１と、この感光体１１の表面を帯電させる帯電装置１２と、帯電された感光体１１の表面に画像情報に応じた露光を行って感光体１１の表面に静電潜像を形成する露光装置１３と、感光体１１の表面に形成された静電潜像にトナーを供給してトナー画像を形成する現像装置１４と、感光体１１の表面に形成されたトナー画像を後述する中間転写ベルト２１に転写させた後に残留するトナーを感光体１１の表面から除去する第１クリーニング装置１５とを設けている。
【００３０】
また、前記の各イメージングカートリッジ１０Ａ〜１０Ｄにおける各現像装置１４においては、それぞれ収容させるトナーの色彩を異ならせ、黒色，黄色，マゼンダ色，シアン色のトナーを収容させている。
【００３１】
そして、この画像形成装置１においては、前記の各イメージングカートリッジ１０Ａ〜１０Ｄにおいて、それぞれ感光体１１の表面を帯電装置１２によって帯電させ、このように帯電された各感光体１１の表面に、それぞれ露光装置１３によって画像情報に応じた露光を行い、各感光体１１の表面にそれぞれ画像情報に応じた静電潜像を形成し、このように各感光体１１の表面に形成された静電潜像に、前記の各現像装置１４からそれぞれの色彩のトナーを供給して、各感光体１１の表面にそれぞれの色彩のトナー画像を形成するようにしている。
【００３２】
次いで、このように各イメージングカートリッジ１０Ａ〜１０Ｄにおける各感光体１１の表面に形成された各色彩のトナー画像を、所要間隔を介して設けられた回転ローラー２０ａ，２０ｂに架け渡されて回転する中間転写ベルト２１に、一次転写ローラー２２により順々に転写させて、この中間転写ベルト２１の上に合成されたトナー画像を形成し、このように合成されたトナー画像を二次転写ローラー２３と対向する位置に導くようにしている。また、前記の中間転写ベルト２１に転写されずに各感光体１１の表面に残留するトナーを、それぞれ前記の第１クリーニング装置１５によって各感光体１１の表面から除去するようにしている。
【００３３】
一方、この画像形成装置１内に収容された記録媒体Ｓを給紙ローラー２４により給紙してタイミングローラー２５に導き、このタイミングローラー２５によって記録媒体Ｓを適当なタイミングで前記の中間転写ベルト２１と二次転写ローラー２３との間に導き、中間転写ベルト２１上に形成された前記のトナー画像を、この記録媒体Ｓに転写させるようにしている。そして、記録媒体Ｓに転写されずに中間転写ベルト２１上に残ったトナーを、第２クリーニング装置２６によって中間転写ベルト２１から除去するようにしている。
【００３４】
また、前記のようにしてトナー画像が転写された記録媒体Ｓを定着装置３０に導き、この定着装置３０において、前記のトナー画像を記録媒体Ｓに定着させ、その後、トナー画像が定着された記録媒体Ｓを排紙ローラー２７によって排紙するようにしている。
【００３５】
ここで、この実施形態における定着装置３０においては、図１及び図２に示すように、第１定着部材３１として、外部に誘電加熱方式の加熱装置３１ａが設けられた加熱ローラー３１を用いる一方、第２定着部材３２として、外周に弾性層３２ａが設けられた加圧ローラー３２を用い、前記の加熱ローラー３１に加圧ローラー３２を圧接させた状態で、加圧ローラー３２と加熱ローラー３１とを回転させるようにしている。
【００３６】
そして、記録媒体Ｓに転写された未定着のトナー画像ｔが加熱ローラー３１の外周面に接触するようにして、記録媒体Ｓを加圧ローラー３２と加熱ローラー３１との間のニップ部に導き、このニップ部において未定着のトナー画像ｔを記録媒体Ｓに加熱定着させるようにしている。
【００３７】
ここで、前記の加熱ローラー３１としては、例えば、アルミニウム製の芯金の外周に、シリコンスポンジ材等で構成された断熱層と、ニッケル電鋳ベルト等で構成された電磁誘導発熱性層と、シリコンゴム等で構成された弾性層と、ＰＦＡチューブ等で構成された離型層とが設けられたものを用いるようにしている。また、前記の加圧ローラー３２としては、例えば、アルミニウム製の芯金の外周に、シリコンゴム等で構成された弾性層と、ＰＦＡチューブ等で構成された離型層とが設けられたものを用いるようにしている。
【００３８】
また、この実施形態における定着装置３０においては、前記の加圧ローラー３２と接触して回転する回転部材３３として、加圧ローラー３２の外周面の熱を均一化させる均熱ローラー３３Ａを設けると共に、回転軸３４ａの外周面にブラシ３４ｂが設けられたブラシローラー３４におけるブラシ３４ｂを前記の均熱ローラー３３Ａの外周面に接触させて回転させるようにしている。
【００３９】
また、清掃用空気を噴出させる清掃手段３５を、前記の加圧ローラー３２からブラシローラー３４に向うように設け、この清掃手段３５における噴出部３５ａから清掃用空気を、ブラシローラー３４の外周側からブラシローラー３４に向けて吹き付けるようにすると共に、ブラシローラー３４を介して清掃手段３５と反対側の位置、すなわち清掃用空気の噴出方向下流側の位置に、ブラシローラー３４に吹き付けた後の清掃用空気を回収する回収部３６を設けている。
【００４０】
ここで、この実施形態における定着装置３０において、前記のように加圧ローラー３２と加熱ローラー３１との間のニップ部において未定着のトナー画像ｔを記録媒体Ｓに加熱定着させた場合、加熱ローラー３１や加圧ローラー３２の外周面にトナーや紙粉等が付着すると、加熱ローラー３１や加圧ローラー３２の外周面に付着したトナーや紙粉等の付着物が、加熱ローラー３１から加圧ローラー３２を介して、或いは加圧ローラー３２から直接、加圧ローラー３２と接触して回転する均熱ローラー３３Ａの外周面に移行されて、均熱ローラー３３Ａの外周面に付着されるようになる。
【００４１】
そして、このように均熱ローラー３３Ａの外周面に付着した付着物を、均熱ローラー３３Ａと接触して回転するブラシローラー３４のブラシ３４ｂによって、均熱ローラー３３Ａから回収するようにしている。
【００４２】
ここで、このようにブラシローラー３４のブラシ３４ｂによって均熱ローラー３３Ａの付着物を回収すると、ブラシローラー３４のブラシ３４ｂに回収物が次第に蓄積して、均熱ローラー３３Ａから付着物を適切に回収することができなくなり、さらにブラシローラー３４のブラシ３４ｂに蓄積された回収物がブラシローラー３４から均熱ローラー３３Ａを介して、加圧ローラー３２や加熱ローラー３１に戻されるようになる。
【００４３】
このため、この実施形態における定着装置３０においては、前記のように清掃手段３５における噴出部３５ａから、清掃用空気をブラシローラー３４に向けて吹き付け、ブラシローラー３４のブラシ３４ｂに回収された回収物をブラシローラー３４から除去させ、このよう除去された回収物を清掃用空気と一緒に回収部３６に回収させるようにしている。
【００４４】
ここで、前記のように清掃手段３５における噴出部３５ａから清掃用空気を、ブラシローラー３４の外周側からブラシローラー３４に向けて吹き付けるにあたり、図３に示すように、前記のブラシローラー３４の回転方向が、清掃用空気の吹付け方向に対して順方向になるようにすると、清掃用空気の吹付けによってブラシ３４ｂに加わる負荷が少なく、ブラシ３４ｂが開いて変形するのが防止され、ブラシローラー３４を一定した状態で安定して使用できるようになる。
【００４５】
一方、図４に示すように、ブラシローラー３４の回転方向が、清掃用空気の吹付け方向に対して逆方向になるようにすると、清掃用空気によりブラシ３４ｂが開くように変形し、ブラシ３４ｂに回収された回収物が清掃用空気によりブラシ３４ｂから効率よく離脱されて回収部３６に回収されるようになる。
【００４６】
また、前記のように清掃手段３５における噴出部３５ａから清掃用空気をブラシローラー３４に向けて吹き付けて、ブラシ３４ｂに回収された回収物をブラシローラー３４全体から適切に離脱させるにあたっては、例えば、図５に示すように、清掃手段３５における噴出部３５ａが、ブラシローラー３４の軸方向全体においてブラシローラー３４と対向するようにして、この噴出部３５ａから清掃用空気をブラシローラー３４の軸方向全体に吹き付けるようにすることができる。また、図６に示すように、清掃手段３５をブラシローラー３４の軸方向に移動させるようにして、噴出部３５ａから清掃用空気をブラシローラー３４の軸方向全体に吹き付けるようにすることができる。ここで、図５に示すように、清掃手段３５における噴出部３５ａをブラシローラー３４の軸方向全体に至るように長くすると、清掃用空気をブラシローラー３４の軸方向全体に吹き付けるのが短時間で簡単に行える一方、噴出部３５ａから一度に多くの量の清掃用空気を噴出させるために、大きな動力の装置が必要になる。一方、図６に示すように、清掃手段３５をブラシローラー３４の軸方向に移動させる場合、噴出部３５ａから一度に噴出させる清掃用空気の量を少なくすることができる一方、清掃手段３５を移動させる装置が必要になると共に、清掃手段３５をブラシローラー３４の軸方向全体に移動させるために時間がかかるようになる。
【００４７】
また、この実施形態における定着装置３０において、清掃手段３５における噴出部３５ａから清掃用空気を、ブラシローラー３４の外周側からブラシローラー３４に向けて吹き付けるにあたり、噴出部３５ａから吹き付ける清掃用空気の中心がブラシローラー３４の回転軸３４ａの中心近くに向かうと、ブラシローラー３４のブラシ３４ｂに吹き付けられる清掃用空気の量が減少するため、清掃用空気の中心がブラシローラー３４の回転軸３４ａの半径の１／４以上ずれるようにすることが好ましい。なお、噴出部３５ａから吹き付ける清掃用空気の中心がブラシローラー３４の回転軸３４ａから離れすぎると、清掃用空気が回転軸３４ａの外周に設けられたブラシ３４ｂの根元に導かれなくなるため、清掃用空気の中心をブラシローラー３４の回転軸３４ａからずらせる場合にも、清掃用空気がブラシ３４ｂの根元に導かれる範囲にすることが好ましい。
【００４８】
また、この実施形態における定着装置３０において、前記のように清掃手段３５から清掃用空気をブラシローラー３４に吹き付けた場合に、清掃用空気によって定着装置３０が冷却されるおそれがあるため、図７に示すように、定着装置３０の近傍に熱交換装置３７を設け、定着装置３０において発生する熱を利用し、この熱交換装置３７により清掃手段３５に導く清掃用空気を加熱させ、加熱された清掃用空気を清掃手段３５からブラシローラー３４に吹き付けるようにすることができる。
【００４９】
また、図８に示すように、定着装置３０が冷却されるのを防止する加熱手段として、定着装置３０の近傍に熱交換装置３７を設け、定着装置３０において発生する熱を利用して、この熱交換装置３７により空気を加熱させ、加熱された空気を加熱用ノズル３８から加圧ローラー３２と均熱ローラー３３Ａとの間に吹き付けるようにすることもできる。
【００５０】
なお、前記のブラシローラー３４における回転軸３４ａの外周面にブラシ３４ｂを設けるにあたっては、図９に示すように、回転軸３４ａの外周面に複数本のブラシ３４ｂの根元をまとめた状態で設けるようにすることもできる。そして、このようなブラシローラー３４を用いた場合においても、この実施形態においては、清掃手段３５から清掃用空気が、このようなブラシ３４ｂの根元に適切に吹き付けられて、ブラシ３４ｂの根元によりおける回収物を清掃用空気によって適切に除去させて回収できるようになる。
【００５１】
また、この実施形態における定着装置３０においては、加熱ローラー３１や加圧ローラー３２の外周面に付着したトナーや紙粉等の付着物を均熱ローラー３３Ａに移行させ、この均熱ローラー３３Ａの外周面にブラシローラー３４のブラシ３４ｂを接触させて回転させ、均熱ローラー３３Ａの外周面に移行された付着物をこのブラシローラー３４のブラシ３４ｂに回収させるようにしたが、ブラシローラー３４を設ける位置は、特にこのような位置に限定されない。
【００５２】
例えば、図示していないが、ブラシローラー３４のブラシ３４ｂを加熱ローラー３１や加圧ローラー３２の外周面に接触するように設け、このブラシローラー３４を回転させて、加熱ローラー３１や加圧ローラー３２の外周面に付着したトナーや紙粉等の付着物をブラシローラー３４のブラシ３４ｂに回収させるようにすることも可能である。しかし、このようにブラシローラー３４のブラシ３４ｂを直接、加熱ローラー３１や加圧ローラー３２の外周面に接触させて回転させた場合、ブラシ３４ｂとの接触によって加熱ローラー３１や加圧ローラー３２の外周面が傷ついて、形成される画像にノイズが発生するおそれがある。
【００５３】
このため、前記の実施形態に示すように、ブラシローラー３４のブラシ３４ｂを、加圧ローラー３２と接触して回転する均熱ローラー３３Ａの外周面に接触させるようにし、ブラシローラー３４のブラシ３４ｂを、加熱ローラー３１や加圧ローラー３２の外周面に接触させないようにすることが好ましい。
【００５４】
なお、前記の実施形態においては、加圧ローラー３２と接触して回転する均熱ローラー３３Ａの外周面に、ブラシローラー３４のブラシ３４ｂを接触させるようにしたが、さらにこの均熱ローラー３３Ａと接触して回転する回転部材（図示せず）を設け、この回転部材の外周面に、ブラシローラー３４のブラシ３４ｂを接触させるようにすることもできる。
【００５５】
また、図１０に示すように、内部にハロゲンランプ等の加熱装置３１ａが設けられた加熱ローラー３１と接触して回転する回転部材３３として、回収ローラー３３Ｂを設け、この回収ローラー３３Ｂの外周面に、ブラシローラー３４のブラシ３４ｂを接触させて回転させ、回収ローラー３３Ｂの外周面に移行された付着物をこのブラシローラー３４のブラシ３４ｂによって回収させるようにすることもできる。
【符号の説明】
【００５６】
１  画像形成装置
１０Ａ〜１０Ｄ  イメージングカートリッジ
１１  感光体
１２  帯電装置
１３  露光装置
１４  現像装置
１５  第１クリーニング装置
２０ａ，２０ｂ  回転ローラー
２１  中間転写ベルト
２２  一次転写ローラー
２３  二次転写ローラー
て中間転写ベルト２１から除去するようにしている。
２４  給紙ローラー
２５  タイミングローラー
２６  第２クリーニング装置
２７  排紙ローラー
３０  定着装置
３１  加熱ローラー（第１定着部材）、３１ａ  加熱装置
３２  加圧ローラー（第２定着部材）、３２ａ  弾性層
３３  回転部材、３３Ａ  均熱ローラー、３３Ｂ  回収ローラー
３４  ブラシローラー、３４ａ  回転軸、３４ｂ  ブラシ
３５  清掃手段、３５ａ  噴出部
３６  回収部
３７  熱交換装置
３８  加熱用ノズル（加熱手段）
Ｓ  記録媒体
ｔ  トナー画像
【図１】
2017068185.tif 000003
【図２】
2017068185.tif 000004
【図３】
2017068185.tif 000005
【図４】
2017068185.tif 000006
【図５】
2017068185.tif 000007
【図６】
2017068185.tif 000008
【図７】
2017068185.tif 000009
【図８】
2017068185.tif 000010
【図９】
2017068185.tif 000011
【図１０】
2017068185.tif 000012